(57)【特許請求の範囲】
【請求項１】
周縁部に配置した適度の可撓性を有する断面Ｌ字状の固定枠の内側に、可撓性を有する所定幅の支持部材を該固定枠に対して斜めの格子状に固着して鋼製フレームを構成し、該所定幅の支持部材の交差部に自然石をホールアンカ又は樹脂モルタルボンドを利用して面として碁盤状に固定するとともに、固定枠端面の適宜位置に吊り上げ移動用、かつ、連結用の吊環を配置してなり、設置した地盤の起伏に応じて自然石の重量に伴って鋼製フレームの形状が追随することを特徴とするとともに、隣接する自然石固着ユニット相互間の吊環を連結金具を用いて固定可能としたことを特徴とする自然石固着ユニット。
【請求項２】
前記鋼製フレームの平面視が正方形もしくは矩形状とした請求項１に記載の自然石固着ユニット。
【請求項３】
適度の可撓性を有する断面Ｌ字状の固定枠の内側に、可撓性を有する所定幅の支持部材を該固定枠に対して斜めの格子状に固着して構成した鋼製フレームの前記支持部材の交差部に自然石をホールアンカ又は樹脂モルタルボンドを利用して面として碁盤状に固定して自然石固着ユニットを作製し、クレーンのブーム先端から垂下したワイヤにより、前記鋼製フレーム端面の適宜位置に配置した吊環を利用して自然石固着ユニットを吊り下げて施工すべき法面上に相互に密着させて据え付け、設置した地盤の起伏に応じて自然石の重量に伴って自然石固着ユニットの形状を追随させるとともに、自然石固着ユニットの隣接する吊環を連結金具を用いて連結固定したことを特徴とする自然石固着ユニットを使用した多自然型工法。
【請求項４】
前記ワイヤの下端部を別途に用意した専用吊り枠に連結し、該専用吊り枠から導出したワイヤの下端部を自然石固着ユニットの吊環に連結して施工すべき法面上に相互に密着させて据え付けることを特徴とする請求項３に記載の自然石固着ユニットを使用した多自然型工法。
【発明の詳細な説明】
【０００１】
【発明の属する技術分野】
本発明は自然石を固着したユニットを用いて護岸・護床・根固工事を多自然に行うようにした自然石固着ユニット及び該ユニットを使用した多自然型工法に関するものである。
【０００２】
【従来の技術】
従来の護岸・護床・根固工事を行う代表的な方法は、石工の手作業により自然石を１個ずつ積み上げて、各石と石との間に詰め石を行う空石積工法が知られている。しかしこの方法では施工時間が長くかかる外、護岸が２メートルを越える高さであるケースでは自然石が不安定になるという問題がある。
【０００３】
上記に対処して、護岸・護床・根固工事を行う際に、コンクリート製の堤防で両岸を囲ったり、河川敷までコンクリートで固める工法も行われている。また、自然の景観機能を生かすため、前記空石積工法に代えて地盤上に捨てコンクリートを行って自然石を固定敷設するねり石積工法も行われている。
【０００４】
更に自然石と植生を組み合わせた護岸工法として、斜面にネット状の植生マットを敷き、その上に金網を張って固定してから該金網上にアンカーを挿入固着した自然石を多数個載置し、固着したアンカーをステンレス線材などにより金網に連結した構成とか、複数個のブロックをネットに一体化した敷設ブロックを用いる工法及び複数の目を有する板状の保持体上に複数の自然石が一体的に保持されて周縁部に枠体が備えられている自然石保持ユニットを護岸法面上に隣接して敷設する工法も行われている。
【０００５】
特願平８−５９０８３号（特許第３０４８５１８号）には、前記隣接する複数の自然石保持ユニットが枠体を介して連結され、下部位置における自然石保持ユニットと上部位置における自然石保持ユニットの少なくとも一つが枠体を介して護岸法面に連結された構成が開示されている。
【０００６】
【発明が解決しようとする課題】
前記したように、コンクリート製の堤防で両岸を囲って河川敷までコンクリートで固める工法とか、地盤上に捨てコンクリートを行って自然石を固定敷設するねり石積工法による護岸・護床・根固工事は、何れも施工が特殊で職人が時間をかけて敷設しており、作業能率及びコスト面での問題がある。また、上記工法は河川の自然生態系を破壊して自己浄化作用を乏しくする難点があり、環境保全の面からも好ましくないという問題がある。
【０００７】
更に斜面にネット状の植生マットを敷いてから金網を張り、該金網上にアンカーを挿入固着した自然石を多数個載置して該アンカーを金網に連結した工法及び複数個のブロックをネットに一体化した敷設ブロックを用いる工法では、吊り下げ施工時にマット及び金網が捻れたりゆがみが発生するため、ユニット自体の保形性が悪く、施工後に修復する工事が必要になるため施工に要する期間が長くかかるとともに金網などの耐久性が短いという難点がある。
【０００８】
そこで本発明は上記の問題点を解決して、護岸・護床・根固工事の施工性を向上させるとともに施工後の耐久性が高く、工事を多自然に行うことによって環境保全及び景観面からも好ましい自然石固着ユニット及び該ユニットを使用した多自然型工法を提供することを目的とするものである。
【０００９】
【課題を解決するための手段】
本発明は上記目的を達成するために、周縁部に配置した適度の可撓性を有する断面Ｌ字状の固定枠の内側に、可撓性を有する所定幅の支持部材を該固定枠に対して斜めの格子状に固着して鋼製フレームを構成し、該所定幅の支持部材の交差部に自然石をホールアンカ又は樹脂モルタルボンドを利用して面として碁盤状に固定するとともに、固定枠端面の適宜位置に吊り上げ移動用、かつ、連結用の吊環を配置してなり、設置した地盤の起伏に応じて自然石の重量に伴って鋼製フレームの形状が追随することを特徴とするとともに、隣接する自然石固着ユニット相互間の吊環を連結金具を用いて固定可能とした自然石固着ユニットを基本手段としている。
【００１０】
前記鋼製フレームの平面視は正方形もしくは矩形状とする。
【００１１】
そして、適度の可撓性を有する断面Ｌ字状の固定枠の内側に、可撓性を有する所定幅の支持部材を該固定枠に対して斜めの格子状に固着して構成した鋼製フレームの前記支持部材の交差部に自然石をホールアンカ又は樹脂モルタルボンドを利用して面として碁盤状に固定して自然石固着ユニットを作製し、クレーンのブーム先端から垂下したワイヤにより、前記鋼製フレーム端面の適宜位置に配置した吊環を利用して自然石固着ユニットを吊り下げて施工すべき法面上に相互に密着させて据え付け、設置した地盤の起伏に応じて自然石の重量に伴って自然石固着ユニットの形状を追随させるとともに、自然石固着ユニットの隣接する吊環を連結金具を用いて連結固定した自然石固着ユニットを使用した多自然型工法、及び前記ワイヤの下端部を別途に用意した専用吊り枠に連結し、該専用吊り枠から導出したワイヤの下端部を自然石固着ユニットの吊環に連結して施工すべき法面上に相互に密着させて据え付ける自然石固着ユニットを使用した多自然型工法を提供する。
【００１２】
かかる自然石固着ユニット及び該ユニットを使用した多自然型工法によれば、使用に際して護岸用としての設計勾配に応じて法面を整形してから吸出し防止剤を塗着した後、自然石固着ユニットの割り付けマーキングを施し、トラッククレーンのブーム先端から垂下したワイヤにより吊環を利用して自然石固着ユニットを吊り下げて法面上に相互に密着させて据え付け、隣接する吊環を連結金具を用いて連結固定してから各自然石の中間に形成されている空隙部に小粒の自然石を詰め込んで自然石固着ユニットを使用した多自然型工法による護岸工事が完了する。
【００１３】
凹凸の多い法面に対応するため、鋼製フレームに可撓性を保持させた自然石固着ユニットを構成し、この自然石固着ユニットを法面上に密接して敷設することにより、自然石の重量によって起伏に追随した多自然型工法による護岸工事が完了する。
【００１４】
【発明の実施の形態】
以下図面に基づいて本発明にかかる自然石固着ユニット及び該ユニットを使用した多自然型工法の具体的な実施形態を説明する。本発明は周縁部に配置した適度の可撓性を有する固定枠の内側に、支持部材を該固定枠に対して斜めの格子状に固着して鋼製フレームを構成し、該支持部材の交差部に自然石を碁盤状に固定するとともに固定枠端面の適宜位置に吊り上げ移動用の吊環を配置した自然石固着ユニットを予め作製し、該自然石固着ユニットをそのまま多自然型護岸工法に使用したことに特徴を有している。本発明者は、自然石固着ユニットに「ベストーン」という名称を付与しており、以下の説明ではベストーンの名称を用いて説明する。
【００１５】
図１は本発明で用いた自然石固着ユニットとしてのベストーン１１の平面図、図２は同側面図、図３は斜視図であり、図中の１，１は周縁部に配置した４枚の固定枠、２，２は固定枠１，１の内側にあって該固定枠１，１に対して斜めの格子状に固着された所定幅の支持部材であって、固定枠１，１と支持部材２，２により鋼製フレームが構成される。固定枠１，１は断面Ｌ字状を有する強度部材でなり、所定幅を有する支持部材２，２の交差部にホールアンカ４等により自然石３，３が面として碁盤状に固定されている。ホールアンカに代えて樹脂モルタルボンドを利用しても良い。
【００１６】
本発明では上記自然石３，３が所定幅を有する支持部材２，２の交差部に面として支持固定されていることが特徴となっている。そして各自然石３，３の中間には空隙部が形成されたことにより透水性が保持されている。５は固定枠１，１の端面の適宜位置に配置した吊り上げ移動用の吊環である。
【００１７】
図１に示す例は自然石保持ユニットとしてのベストーン１１の平面視が正方形となっているが、該ベストーン１１の平面視は矩形状であっても良く、支持部材２，２も固定枠１，１に対して格子状に固着することもできる。この支持部材２，２は適度の可撓性を持つ厚さに形成されていて、設置した地盤の起伏に応じて自然石３，３の重量に伴って形状が追随可能である。また、固定枠１はある程度の剛性を持つ厚さに形成されているが、該固定枠１にも可撓性を持たせるため、４枚の固定枠１の一部、例えば２枚の固定枠を支持部材２と同様な厚さに形成して可撓性を付与することも可能である。固定枠１の寸法例として
２０００ｍｍ×２０００ｍｍ×５０ｍｍ
２０００ｍｍ×１８００ｍｍ×５０ｍｍ
２０００ｍｍ×１０００ｍｍ×５０ｍｍ
１８００ｍｍ×１０００ｍｍ×５０ｍｍ
がある。
【００１８】
鋼製フレームを構成する固定枠１と支持部材２の表面には亜鉛メッキが施されており、該亜鉛メッキの皮膜が完全に消耗する期間は５０〜６０年であって耐用年数が長く、後述するようにベストーンが河川等の護岸・護床の湿潤及び水中設置されて水質が中性である場合は耐用年数がさらに伸びるという特徴がある。更に鋼製フレームに代えて木材を用いることもできる。
【００１９】
以下に本発明にかかる自然石固着ユニットを使用した多自然型工法の具体的な施工手順を説明する。先ず図４に示したように護岸用としての設計勾配に応じて法面６を整形し、この法面６上に吸出し防止剤を塗着する。この吸出し防止剤のラップ代は１０ｃｍ以上とする。次に図５に示すように法面６上にスプレー等によってベストーンの割り付けマーキング７を施す。
【００２０】
次に図６に示したようにトラッククレーン８のブーム９先端から垂下したワイヤ１０により前記吊環５を利用してベストーン１１を吊り下げて、法面６の割り付けマーキング７上に相互に密着させて据え付ける。この作業時にベストーン１１の姿勢を正常に維持するため、図７に示したようにワイヤ１０，１０の下端部を別途に用意したベストーン１１と略同形の専用吊り枠１２に連結し、該専用吊り枠１２から導出したワイヤ１３，１３の下端部をベストーン１１の吊環５に連結して割り付けマーキング７上に据え付けることが好ましい。
【００２１】
次に図８に示すように、割り付けマーキング７上に据え付けたベストーン１１の隣接する吊環５を連結金具であるシャックル１４を用いて連結固定する。図９の要部断面図と図１０の要部平断面図に示したように、固定枠１は断面Ｌ字状を有していて、該固定枠１の端面に固着された吊環５間にシャックル１４を挿通して相互に連結する。
【００２２】
そして図１１に示したように、各自然石３，３の中間に形成されている空隙部に小粒の自然石３ａ，３ａを詰め込み、更に客土を充填して自然石固着ユニットを使用した多自然型工法による護岸工事が完了する。自然石３，３の形状を工夫することにより、単に護岸機能だけでなく階段としての機能を持たせることができる。
【００２３】
図１２は凹凸の多い法面６に対応する護岸工法の一例であり、図１に示すベストーン１１の固定枠１，１と支持部材２，２に可撓性を保持させた自然石固着ユニットを構成し、この自然石固着ユニットを法面６上に密接して敷設する。この工法によれば、自然石３，３の重量によって起伏に追随した多自然型工法による護岸工事が完了する。
【００２４】
【発明の効果】
以上詳細に説明したように、本発明によれば周縁部に配置した適度の可撓性を有する固定枠の内側に、支持部材を該固定枠に対して斜めの格子状に固着して鋼製フレームを構成し、該支持部材の交差部に自然石を碁盤状に固定するとともに固定枠端面の適宜位置に吊り上げ移動用の吊環を配置した自然石固着ユニットを作製し、この吊環を利用してワイヤにより自然石固着ユニットを吊り下げて法面上に据え付け、隣接する吊環を連結金具を用いて連結固定することによって多自然型工法による護岸工事を完了することができるので、従来のコンクリートにより堤防と河川敷を固める工法及びねり石積工法に較べて施工時間が短縮され、コストも節減することができる。また、得られた護岸・護床・根固構造は、自然石間に充填した客土が地盤と連結して水分の補給に伴って植物が繁茂し、この植物が鋼製フレームを覆い隠すので、自然の景観を創出するとともに河川の自然生態系を破壊する惧れがなく、自己浄化作用も得られて環境保全の面からも好ましい自然石固着ユニットと多自然型工法が実現する。
【００２５】
特に従来の金網もしくは敷設ブロックを用いた工法のように、吊り下げ施工時に自然石固着ユニットが捻れたりゆがみが発生することがなくなるので、自然石固着ユニット自体の保形性は良好であって施工後に修復する等の工事は不要であり、しかも金網などに比較して耐久性が長いという特長がある。また、本願発明では支持部材を固定枠に対して斜めの格子状に固着しているため、自然石の配列が碁盤状となり、施工後に覆土をした際に植生がなくても河川の流れとか雨水に対して自然石の横方向及び縦方向からの流れの抑止力が働いて覆土が流される惧れは生じない。
【００２６】
凹凸の多い法面では、自然石固着ユニットの固定枠を外して可撓性を有する支持部材と自然石の組合せだけで構成したユニットを法面上に密接して敷設することにより、吊環を連結金具を用いて連結固定する必要がなく、自然石の重量によってユニットを起伏に追随させることができる。
【００２７】
従って本発明によれば、護岸・護床・根固工事の施工性を向上させるとともに施工コストの低廉化をはかり、かつ、施工後の耐久性を高めるとともに工事を多自然に行うことによって環境保全及び景観面からも好ましい自然石固着ユニット及び該ユニットを使用した多自然型工法を提供することができる。
【図面の簡単な説明】
【図１】本発明で用いた自然石固着ユニットの平面図。
【図２】図１の側面図。
【図３】図１の斜視図。
【図４】自然石固着ユニットを使用した多自然型工法の初期状態を示す概要図。
【図５】法面上に割り付けマーキングを施した状態を示す概要図。
【図６】法面上に自然石固着ユニットを据え付ける実際例を示す概要図。
【図７】専用吊り枠を用いて自然石固着ユニットを吊り下げた状態を示す概要図。
【図８】自然石固着ユニットの隣接する吊環を連結金具を用いて連結固定した状態を示す概要図。
【図９】図８の要部断面図。
【図１０】図８の要部平断面図。
【図１１】多自然型工法による護岸工事の完了した状態を示す概要図。
【図１２】凹凸の多い法面に対応する護岸工法の一例を示す概要図。
【符号の説明】
１…固定枠
２…支持部材
３…自然石
４…ホールアンカ
５…吊環
６…法面
７…割り付けマーキング
８…トラッククレーン
９…ブーム
１０，１３…ワイヤ
１１…ベストーン
１２…専用吊り枠
１４…シャックル
整理番号  Ｐ３３１８
【図１】
0003621898.tif 000002
【図２】
0003621898.tif 000003
【図３】
0003621898.tif 000004
【図４】
0003621898.tif 000005
【図５】
0003621898.tif 000006
【図６】
0003621898.tif 000007
【図７】
0003621898.tif 000008
【図８】
0003621898.tif 000009
【図９】
0003621898.tif 000010
【図１０】
0003621898.tif 000011
【図１１】
0003621898.tif 000012
【図１２】
0003621898.tif 000013